(57)【要約】【課題】  簡単に展示物を保管するとともに、展示物を複数の展示方法によって展示することができる展示用具を提供する。【解決手段】  展示物を展示用具１０の第１表示パネル１１及び第２表示パネル１２の挿入口２１からそれぞれ挿入し収容する。この状態から、第１表示パネル１１と第２表示パネル１２とを一定の角度に拡開させ、保持部材１５で第１及び第２表示パネル１１，１２を連結することによって、展示用具１０を机等に載置して展示物を展示するこができる。第１及び第２表示パネル１１，１２を、その前面同士が対向するように重ね合わせた状態で、保持部材１５にて連結することによって展示物を保管することができる。また、保持部材１５の吊下孔１５ｂを介して壁等に吊り下げることによって展開された展示用具１０にて展示物を展示することができる。【選択図】      図２
2005192861.tif 000002
【特許請求の範囲】
【請求項１】
展示物を表示可能な平面状の表示パネルを一対備え、前記一対の表示パネルを、その表面同士が重なるように開閉可能にその一側辺を互いにヒンジ部によって連結するとともに、前記一対の表示パネルの一方の表示パネルの裏面には、吊下用掛け止め部と連結部を有した保持部材を設け、他方の表示パネルの裏面には、前記一方の表示パネルと前記ヒンジを中心に一定の角度で離間した状態で、前記保持部材の連結部と結合する第１の結合部と、前記一方の表示パネルとその表面同士が重なりあった状態で、前記保持部材の連結部と結合する第２の結合部を設けたことを特徴とする展示用具。
【請求項２】
請求項１に記載の展示用具において、
前記一方の表示パネルの裏面に設けた保持部材は、一端に吊下用掛け止め部を形成し他端に連結部を形成する帯状の可撓性を有する合成樹脂板にて形成され、吊下用掛け止め部と他端に連結部の間に前記一方の表示パネルに対してハトメにて連結されているとともに、前記ハトメの軸部に回動可能に支持されていることを特徴とする展示用具。
【請求項３】
請求項２に記載の展示用具において、
前記一方の表示パネルの裏面に設けた保持部材は、前記ハトメの軸部から吊下用掛け止め部の間より、前記ハトメの軸部から連結部の間の方が可撓性を有することを特徴する展示用具。
【請求項４】
請求項１乃至３のいずれか１に記載の展示用具において、
前記一方の表示パネルの裏面に設けた保持部材の吊下用掛け止め部は、孔であることを特徴とする展示用具。
【請求項５】
請求項１乃至３のいずれか１に記載の展示用具において、
前記一方の表示パネルの裏面に設けた保持部材の連結部は、突起であり、前記他方の表示パネルの裏面に設けた前記第１の結合部及び第２の結合部は、前記突起と嵌着する凹部であることを特徴とする展示用具。
【発明の詳細な説明】
【技術分野】
【０００１】
本発明は、展示用具に関する。
【背景技術】
【０００２】
従来、写真プリント等の展示物は、写真立て等の展示用具に収容されて展示されいた。そして、このような展示用具では、展示物の展示が終了すると、新たに展示する展示物と交換することによって、閲覧できる展示物を切り替えていた。
【０００３】
このような展示用具の1つとして、展示物を複数収容し、さらに、この展示物の閲覧の
切り替えができるように構成したものが種々提案されている（例えば、特許文献１）。
特許文献１に記載の展示用具は、前板と、後板と、前板及び後板の基端にそれぞれ連設する底部とからなる底板部を備えている。この底板部には、前板及び後板の他端部を互いに接続するようにコイルが取り付けられている。そして、このコイルには、展示物をそれぞれ収容する多数のページ層が可動となるように取り付けられている。この展示用具では、底板部の底部を机等の載置面に当接させて、前板及び後板を立てることによって、ページに収容された展示物を展示するようになっている。そして、この展示用具（前板及び後板）を立てた状態から、各ページ層をめくることで、閲覧できる展示物の切り替えができるようになっている。一方、この展示用具には、コイルを貫通するように横棒が取り付けられている。この横棒を介することで、展示用具を壁等に吊下げて展示物を展示することができる。
【特許文献１】登録実用新案第３００７５４１号公報
【発明の開示】
【発明が解決しようとする課題】
【０００４】
ところで、一般に、ハガキサイズやＬ判サイズ等の小判の展示物は、展示が終了すると、展示用具から取り出されてアルバムに保管される。しかしながら、Ａ２サイズやＡ３サイズ等の大判の展示物では、サイズが大きいため、汎用のアルバムに保管することが難しく、また撓みやすいので保管に手間取ることがあった。このため、特許文献１に記載したような展示用具に入れた状態で、保管することが望ましい。しかしながら、大判の展示物の保管に前記展示用具を採用した場合、上述したように、展示物を収容するページ層が可動となっているので、ページ層が開きやすく、例えば、本棚等に収容する際には、各ページ層が開いてばらつくことがあって、保管が難しかった。
【０００５】
本発明は、上記課題を解消するためになされたものであって、その目的は、簡単に展示物を保管するとともに、展示物を複数の展示方法によって展示することができる展示用具を提供することにある。
【課題を解決するための手段】
【０００６】
本発明の展示用具は、展示物を表示可能な平面状の表示パネルを一対備え、前記一対の表示パネルを、その表面同士が重なるように開閉可能にその一側辺を互いにヒンジ部によって連結するとともに、前記一対の表示パネルの一方の表示パネルの裏面には、吊下用掛け止め部と連結部を有した保持部材を設け、他方の表示パネルの裏面には、前記一方の表示パネルと前記ヒンジを中心に一定の角度で離間した状態で、前記保持部材の連結部と結合する第１の結合部と、前記一方の表示パネルとその表面同士が重なりあった状態で、前記保持部材の連結部と結合する第２の結合部を設けた。
【０００７】
本発明の展示用具によれば、保持部材に設けた吊下用掛け止め部を壁等に掛ければ、一
対の表示パネルを展開させた状態で壁に吊り下げて展示できる。また、表示パネルを一定の角度で拡開させた状態で、保持部材に設けた連結部を第１の結合部に結合すれば、一対の表示パネルを机等に載置して展示できる。さらに、一対の表示パネルをその表面同士が対向するように重ね合わせた状態、保持部材に設けた連結部を第２の結合部に結合すれば、簡単に展示物は直接外光等に曝されない状態でしかもコンパクトに保管される。
【０００８】
この展示用具において、前記一方の表示パネルの裏面に設けた保持部材は、一端に吊下用掛け止め部を形成し他端に連結部を形成する帯状の可撓性を有する合成樹脂板にて形成され、吊下用掛け止め部と他端に連結部の間に前記一方の表示パネルに対してハトメにて連結されているとともに、前記ハトメの軸部に回動可能に支持されてもよい。
【０００９】
この展示用具によれば、保持部材を回動させて吊下用掛け止め部を壁等に掛ければ、一対の表示パネルを展開させた状態で壁に吊り下げて展示できる。また、表示パネルを一定の角度で拡開させた状態で、保持部材を回動させた後に第１の結合部に向かって撓ませて連結部を第１の結合部に結合すれば、一対の表示パネルを机等に載置して展示できる。さらに、一対の表示パネルをその表面同士が対向するように重ね合わせた状態、保持部材を回動させた後に第２の結合部に向かって撓ませて連結部を第２の結合部に結合すれば、簡単に展示物は直接外光等に曝されない状態でしかもコンパクトに保管される。
【００１０】
この展示用具において、前記一方の表示パネルの裏面に設けた保持部材は、前記ハトメの軸部から吊下用掛け止め部の間より、前記ハトメの軸部から連結部の間の方が可撓性を有するようにしてもよい。
【００１１】
この展示用具によれば、壁に吊り下げて展示する場合は、保持部材は無用に延びたり撓んだりしない。また、第１の結合部や第２の連結部に連結部を連結させる場合には、容易に撓ませて連結させることができる。
【００１２】
この展示用具において、前記一方の表示パネルの裏面に設けた保持部材の吊下用掛け止め部は、孔であってもよい。
この展示用具によれば、保持部材に形成した孔を壁等に設けたフックに引っ掛けるだけで展示物を吊り下げて展示することができる。
【００１３】
この展示用具において、前記一方の表示パネルの裏面に設けた保持部材の連結部は、突起であり、前記他方の表示パネルの裏面に設けた前記第１の結合部及ぶ第２の結合部は、前記突起と嵌着する凹部であってもよい。
【００１４】
この展示用具によれば、保持部材の連結部である突起を、前記第１結合部及ぶ第２結合部である凹部に嵌着するだけで、簡単に展示用具を机等に載置して展示できる展示形態にすることができるとともに、展示物は直接外光等に曝されない状態の保管形態にすることができる。
【発明を実施するための最良の形態】
【００１５】
以下、本発明を具体化した本実施形態を、図１〜図７に従って説明する。
図１は、鑑賞側から見た展示用具１０の全体正面図を示す。図２は、図１におけるＡ−Ａ線断面図を示す。図３は、非鑑賞側から見た展示用具の全体背面図を示す。図４は、本実施形態における表示パネルの側面図を示し、図５は、本実施形態における背板の斜視図を示す。図６及び図７は、展示用具の使用方法を説明するための説明図を示す。
【００１６】
図１に示すように、展示用具１０は、一対の表示パネルを構成する第１表示パネル１１と第２表示パネル１２、ヒンジ部としての２つの連結リング１３とを備える。また、展示
用具１０は、第１表示パネル１１の外形より突出する保持部材１５を備える。展示用具１０は、この保持部材１５を介して壁等から吊り下げ支持されて、絵画や写真等の展示物Ｐが鑑賞されるようになっている。
【００１７】
第１表示パネル１１は、図２及び図４に示すように、背板１６、保護板１７、前枠１８を備える。背板１６は、長方形状をなし厚紙で形成されている。背板１６は、図５に示すように、前面にコ字状の枠部１６ａが突出形成されている。コ字状の枠部１６ａは、背板１６の上下両側及び左側部を囲っているとともに右側部を開放している。そして、コ字状の枠部１６ａで囲まれる空間を、絵画等の展示物Ｐを収容する収容凹部１６ｂとしている。
【００１８】
背板１６の前側には、保護板１７が配置されている。保護板１７は透明のアクリル樹脂で形成され、その外形は前記背板１６と同じサイズの長方形をなす。保護板１７は、その後側面が前記背板１６のコ字状の枠部１６ａの前側面と接着剤で接着固定されている。従って、保護板１７によって、前記背板１６の収容凹部１６ｂの前側は閉塞され、右側は開放される。そして、その開放部を、本実施形態では、挿入口２１としている。
【００１９】
保護板１７の前側には、前枠１８が配置される。前枠１８は厚紙で形成され、その外形が保護板１７と同じサイズの長方形をなすとともに、長方形状の開口部１８ａを貫通形成している。前枠１８は、その後側面が前記保護板１７の前側面と接着剤で接着固定されている。従って、背板１６の収容凹部１６ｂに収容された展示物Ｐは、開口部１８ａ、保護板１７を介して視認することができる。
【００２０】
このように、背板１６、保護板１７及び前枠１８を接着して構成された第１表示パネル１１の裏面（背板１６の後側面）には、図２及び図３に示すように、保持部材１５が背板１６に対してハトメ２２にて取着されている。保持部材１５は、帯状の板材で、可撓性を有する合成樹脂板から形成されている。保持部材１５は、その中央より上方においてハトメ２２で背板１６に連結され、そのハトメ２２の軸部に対して回動可能に支持連結されている。保持部材１５の一端（図３において上端）には、吊下用掛け止め部としての吊下孔１５ｂが形成されている。この吊下孔１５ｂは、壁等に設けたフックに引っ掛けて展示用具１０を壁等に吊下して展示するときに利用される。また、保持部材１５の他端（図３において下端）には、図２に示すように、連結部としての係止突起１５ｃが突出形成されている。係止突起１５ｃは、第２表示パネル１２と連結し、展示用具１０を机等に載置される場合に利用される。
【００２１】
また、第１表示パネル１１は、その下側部に左右一対の第１貫通孔２３が貫通形成されている。この第１貫通孔２３は、連結リング１３が連結し同連結リング１３を介して第２表示パネル１２と連結するために利用される。
【００２２】
第２表示パネル１２は、前記保持部材１５が設けられていない点が相違するだけで、第１表示パネル１１と同様に構成されている。従って、第２表示パネル１２について、第１表示パネル１１と同じ構成部材は同じ符号を付しその説明は省略し、相違する点のみ説明する。
【００２３】
第２表示パネル１２は、図１〜図３に示すように、その上側部の左右一対の第２貫通孔３０が貫通形成されている。この第２貫通孔３０は、前記第１表示パネル１１の第１貫通孔２３に連結された連結リング１３が連結されている。従って、第１表示パネル１１と第２表示パネル１２は連結リング１３を介して連結されている。
【００２４】
第２表示パネル１２の裏面（第２表示パネル１２の背板１６の後側面）には、図２及び
図３に示すように、第１及び第２の結合部３１，３２が設けられている。第１の結合部３１は、第２表示パネル１２の裏面の下部中央位置に設けられ、第２の結合部３２は、第１の結合部よりも上方位置に設けられている。第１の結合部３１と第２の結合部３２は、合成樹脂から形成され、略円錐形状をなすとともに結合凹部３１ａ、３２ａが凹設されている。第１及び第２の結合部３１，３２の結合凹部３１ａ，３２ａは、前記保持部材１５に設けた係止突起１５ｃが係脱可能に嵌着するようになっている。
【００２５】
つまり、図６に示すように、前記保持部材１５を折り返して係止突起１５ｃを第１の結合部３１の結合凹部３１ａに嵌着させると、第１及び第２表示パネル１１，１２は、その下端部がその上端と一定の角度で離間した状態に間隔保持される。従って、第１及び第２表示パネル１１，１２からなる展示用具１０を机等に載置することができる。
【００２６】
また、図７に示すように、第１及び第２表示パネル１１，１２をその前面同士が対向するように重ね合わせた状態で、前記保持部材１５を折り返して係止突起１５ｃを第２の結合部３２の結合凹部３２ａに嵌着させると、第１及び第２表示パネル１１，１２は、重なり合った状態で保持される。従って、展示用具１０を保管するとき、第１，第２表示パネル１１，１２をコンパクトに保管させることができる。
【００２７】
以上説明したように本実施形態によれば、以下の効果を得ることができる。
（１）本実施形態によれば、展示用具１０は、第１表示パネル１１と第２表示パネル１２とが連結リング１３によって折り畳み可能に連結した。また、第１表示パネル１１には、第１表示パネル１１に対し回動可能であり係止突起１５ｃを有する保持部材１５を設け、第２表示パネル１２の裏面には、第１の結合部３１及び第２の結合部３２を設けた。このため、展示用具１０を展示する際には、図１示す展開して壁等に吊り下げる展示形態と、図６に示す展示用具１０を折り曲げることによって机等に載置する展示形態のいずれかを選択することができる。また、展示用具１０を保管する際には、図７に示すように展示用具１０を折り曲げることによって、第１表示パネル１１と第２表示パネル１２とを重ね合わせてコンパクトな保管形態にすることができる。従って、容易に複数の展示形態に切り替えることができるとともに、展示物Ｐをアルバム等の専用の保管ケース等に入れ替えることなく保管形態にすることができる。そして、この保管形態においては、第１及び第２表示パネル１１,１２が開いてばらつくことがないので、本棚等に安定して収容するこ
とができる。しかも、保管形態は、第１及び第２表示パネル１１，１２をその前面同士が対向するように重ね合わせた状態で保管されるため、展示物Ｐは直接外光に曝されない状態で保管されるため、外光による展示物Ｐの変質を防止することができる。
【００２８】
（２）本実施形態によれば、吊下孔１５ｂと係止突起１５ｃとは一つの保持部材１５に設けられているため、部品点数の増大が抑制される。このため、展示用具１０の生産コストの増大を低減することができる。
【００２９】
（３）本実施形態によれば、展示用具１０は、背板１６の収容凹部１６ｂに展示物Ｐを収容し、保護板１７を介することによって展示物Ｐを展示する。このため、展示物Ｐの表面をラミネート加工することなく、展示物Ｐの印刷面が保護された状態となる。従って、展示物Ｐの印刷面が汚くなることなく、展示用具１０を展示並びに保管することができる。
【００３０】
（４）本実施形態によれば、保持部材１５は、一端には吊下孔１５ｂを備え、他端には係止突起１５ｃを備える。そして、展示用具１０を吊り下げる際には、吊下孔１５ｂが上方に向けられて壁等に吊り下げられる。従って、係止突起１５ｃは、使用されない場合においては第１表示パネル１１に隠れた状態となるので、美観が損なわれることはない。
【００３１】
（５）本実施形態によれば、保持部材１５は、係止突起１５ｃと吊下孔１５ｂとにより構成され、保持部材１５は、可撓性を有する合成樹脂板から形成されている。従って、保持部材１５を撓ませることによって曲げることが簡単にでき、しかも、係止突起１５ｃを第１の結合部３１または第２の結合部３２に嵌着させるだけで、第１表示パネル１１及び第２表示パネル１２を一定の角度で離間させた状態の展示ができ、又重ね合わせて保管することができる。また、吊下孔１５ｂが形成された保持部材１５は、合成樹脂板から形成されていることから、一定方向にのみ撓むので、第１表示パネル１１及び第２表示パネル１２を吊り下げた状態で安定して保持することができる。
【００３２】
（６）本実施形態によれば、第１表示パネル１１及び第２表示パネル１２には、保護板１７と背板１６との間は開放され挿入口２１が形成されている。このため、展示物Ｐを取り替えたいときには、展示用具１０を分解することなく、挿入口２１から展示物Ｐを収容することができるので作業が容易である。
【００３３】
なお、本発明の実施形態は、以下のように変更してもよい。
・上記実施形態では、第１表示パネル１１と第２表示パネル１２とが係止する構造には、保持部材１５の係止突起１５ｃが、第１の結合部３１もしくは第２の結合部３２と係合することにより展示形態、あるいは、保管形態を保持するようになっている。第１表示パネル１１と第２表示パネル１２とが係止する構造は、これに限らず、例えば、ベルクロテープ等を用いてもよい。
【００３４】
・上記実施形態では、第１表示パネル１１と第２表示パネル１２とは、連結リング１３によって接続されたが、第１表示パネル１１と第２表示パネル１２とを接続する部材は、これに限定されるものではなく、例えば紐等で接続するようにしてもよい。
【００３５】
・上記実施形態では、展示用具１０は、第１表示パネル１１と第２表示パネル１２とによって構成されたが、これに限らず、表示パネルの数を複数設けてもよい。この場合、展示用具１０の任意の表示パネルを展開した際に、表示パネルが閉じないように、上方の表示パネルを固定させる固定部材を保持部材１５に配設することが望ましい。また、保管形態とした際に表示パネルが開いてばらつかないように、保持部材１５の大きさを適宜変更してもよい。
【００３６】
・上記実施形態の保持部材１５を、ハトメ２２の軸部から吊下孔１５ｂの間の部分を剛性を持たせ、ハトメ２２の軸部から係止突起１５ｃの間の部分を可撓性を有するようにしてもよい。この場合、壁に吊り下げて展示する場合は、保持部材１５は無用に延びたり撓んだりしない。反対に、第１の結合部３１や第２の結合部３２に係止突起１５ｃを連結させる場合には、容易に撓ませて連結させることができる。
【００３７】
・上記実施形態では、第１表示パネル１１及び第２表示パネル１２は、２枚の厚紙からなる背板１６、前枠１８、アクリル樹脂からなる保護板１７とを重ね合わせて一枚の平面状に形成されている。背板１６、前枠１８を構成する部材は、厚紙に限られない。例えば、アクリル等の合成樹脂等によって形成されるようにしてもよい。
【図面の簡単な説明】
【００３８】
【図１】本実施形態における展示用具の正面図。
【図２】同実施形態における展示用具の断面図。
【図３】同実施形態における展示用具の背面図。
【図４】同実施形態における第１表示パネルの側面図。
【図５】同実施形態における第１表示パネルの背板の斜視図。
【図６】同実施形態における展示用具の使用方法を説明するための概要図。
【図７】同実施形態における展示用具の使用方法を説明するための概要図。
【符号の説明】
【００３９】
１０…展示用具、１１…一対の表示パネルを構成する第１表示パネル、１２…一対の表示パネルを構成する第２表示パネル、１３…ヒンジ部としての連結リング、１５…保持部材、１５ｂ…吊下用掛け止め部としての吊下孔、１５ｃ…突起としての係止突起、２２…ハトメ、３１…第１の結合部、３２…第２の結合部、３１ａ，３２ａ…結合凹部、Ｐ…展示物。
【図１】
2005192861.tif 000003
【図２】
2005192861.tif 000004
【図３】
2005192861.tif 000005
【図４】
2005192861.tif 000006
【図５】
2005192861.tif 000007
【図６】
2005192861.tif 000008
【図７】
2005192861.tif 000009